(57)【要約】【課題】本発明は、音声による誘導の効果が向上するガイダンス音声を行い、ユーザー利便性を高めることが可能なデジタル放送受信機を提供することを目的とする。【解決手段】本発明によるデジタル放送受信機は、読上げデータ保管部１０に保管された文字列データをガイダンス音声の信号に変換して生成する音声生成部９と、文字やグラフィックスを表示部１２に描画させるためのデータを生成する文字・グラフィックス描画部１１と、リモコン受光部６にて受信したリモコン信号に基づき、音声生成部９および文字・グラフィックス描画部１１を制御する制御部８とを備え、リモコンの操作を誘導する動作において、制御部８は、文字・グラフィックス描画部１１にて生成された描画データが表示部１２に表示されてから、予め設定した所定時間が経過した後に、音声生成部９にて生成された信号に基づくガイダンス音声の出力が行われるよう制御することを特徴とする。【選択図】図１
2012151637.tif 000002
【特許請求の範囲】
【請求項１】
ユーザーが操作するリモコンから発信されたリモコン信号を受信するリモコン信号受信部と、
前記ユーザーに対して前記リモコンの操作を誘導するガイダンス音声を生成するために用いられる文字列データを保管する読上げデータ保管部と、
前記読上げデータ保管部に保管された前記文字列データを前記ガイダンス音声の信号に変換して生成する音声生成部と、
文字やグラフィックスを表示部に描画させるためのデータを生成する描画データ生成部と、
前記リモコン信号受信部にて受信した前記リモコン信号に基づき、前記音声生成部および前記描画データ生成部を制御する制御部と、
を備え、
前記リモコンの操作を誘導する動作において、前記制御部は、前記描画データ生成部にて生成された描画データが前記表示部に表示されてから、予め設定した所定時間が経過した後に、前記音声生成部にて生成された前記信号に基づく前記ガイダンス音声の出力が行われるよう制御することを特徴とする、デジタル放送受信機。
【請求項２】
前記ガイダンス音声は、前記表示部に表示される前記リモコンの操作ガイド欄の情報を含むことを特徴とする、請求項１に記載のデジタル放送受信機。
【請求項３】
前記所定時間は、任意に可変設定可能であることを特徴とする、請求項１または２に記載のデジタル放送受信機。
【請求項４】
前記制御部は、前記所定時間の経過後、前記リモコン信号受信部が前記リモコン信号を受信するまで前記ガイダンス音声を繰り返して出力するよう制御することを特徴とする、請求項１ないし３のいずれかに記載のデジタル放送受信機。
【請求項５】
前記制御部は、前記ガイダンス音声の出力中に、前記ユーザーが前記ガイダンス音声に対応する前記リモコンの操作を行うと前記ガイダンス音声の出力を終了することを特徴とする、請求項１ないし４のいずれかに記載のデジタル放送受信機。
【発明の詳細な説明】
【技術分野】
【０００１】
本発明は、デジタル放送受信機に関する。
【背景技術】
【０００２】
日本国内においてデジタル放送が開始され、視聴者（以下、ユーザーとも称する）は、視聴希望する番組を視聴するために操作リモコン（以下、単にリモコンとも称する）を用いてデジタル放送受信機を操作して選局することによって、高解像度・高画質の番組を視聴することができるようになった。デジタル放送受信機は、選局された番組を表示する以外にも様々なサービスをユーザーに提供することができ、例えば、メニュー画面にて各種設定や選択を行う機能や、放送時間と放送番組とが一目で分かる番組表を表示させる機能などを有している。
【０００３】
デジタル放送受信機が有するサービスは種類が増えて複雑になる傾向があるため、操作の誘導を音声で行ったり、表示された文字列を読上げたりすること（以下、ガイダンス音声とも称する）によって、ユーザーの利便性を向上させることが求められている。
【０００４】
画面を表示する毎にガイダンス音声が行われるとユーザーによっては煩わしいと感じる場合がある一方で、ガイダンス音声が行われないとどのように操作すればよいのか分からない場合もある。従って、音声による誘導の効果が向上するようなガイダンス音声を行う必要がある。
【０００５】
従来では、音声ガイドの出力を行うか否かをユーザーが入力するＯＮ／ＯＦＦ釦を有する音声ガイド操作部を有し、ユーザーが選択入力するための釦が所定時間以上押下された場合にはユーザーが選択入力するための釦に割り当てられた機能の実行要求を受け付け、ユーザーが選択入力するための釦が所定時間未満押下された場合にはユーザーが選択入力するための釦に割り当てられた機能の説明を音声出力する画像形成装置が開示されている（例えば、特許文献１参照）。
【先行技術文献】
【特許文献】
【０００６】
【特許文献１】特許第４１７５０１９号公報
【発明の概要】
【発明が解決しようとする課題】
【０００７】
特許文献１では、釦に割り当てられた機能の説明を音声ガイドさせるために、ユーザーが自発的に所定の操作を行う必要があり、音声による誘導の効果が十分であるとはいえなかった。
【０００８】
本発明は、これらの問題を解決するためになされたものであり、音声による誘導の効果が向上するガイダンス音声を行い、ユーザー利便性を高めることが可能なデジタル放送受信機を提供することを目的とする。
【課題を解決するための手段】
【０００９】
上記の課題を解決するために、本発明によるデジタル放送受信機は、ユーザーが操作するリモコンから発信されたリモコン信号を受信するリモコン信号受信部と、ユーザーに対してリモコンの操作を誘導するガイダンス音声を生成するために用いられる文字列データを保管する読上げデータ保管部と、読上げデータ保管部に保管された文字列データをガイダンス音声の信号に変換して生成する音声生成部と、文字やグラフィックスを表示部に描画させるためのデータを生成する描画データ生成部と、リモコン信号受信部にて受信したリモコン信号に基づき、音声生成部および描画データ生成部を制御する制御部とを備え、リモコンの操作を誘導する動作において、制御部は、描画データ生成部にて生成された描画データが表示部に表示されてから、予め設定した所定時間が経過した後に、音声生成部にて生成された信号に基づくガイダンス音声の出力が行われるよう制御することを特徴とする。
【発明の効果】
【００１０】
本発明によると、ユーザーが操作するリモコンから発信されたリモコン信号を受信するリモコン信号受信部と、ユーザーに対してリモコンの操作を誘導するガイダンス音声を生成するために用いられる文字列データを保管する読上げデータ保管部と、読上げデータ保管部に保管された文字列データをガイダンス音声の信号に変換して生成する音声生成部と、文字やグラフィックスを表示部に描画させるためのデータを生成する描画データ生成部と、リモコン信号受信部にて受信したリモコン信号に基づき、音声生成部および描画データ生成部を制御する制御部とを備え、リモコンの操作を誘導する動作において、制御部は、描画データ生成部にて生成された描画データが表示部に表示されてから、予め設定した所定時間が経過した後に、音声生成部にて生成された信号に基づくガイダンス音声の出力が行われるよう制御するため、音声による誘導の効果が向上するガイダンス音声を行い、ユーザー利便性を高めることが可能となる。
【図面の簡単な説明】
【００１１】
【図１】本発明の実施形態によるデジタル放送受信機の構成の一例を示すブロック図である。
【図２】本発明の実施形態による制御部の動作を示すフローチャートである。
【図３】本発明の実施形態による表示部に表示される番組表の一例を示す図である。
【図４】本発明の実施形態による表示部に表示される操作ガイド欄の一例を示す図である。
【図５】本発明の実施形態による表示部に表示される操作メニューの一例を示す図である。
【図６】本発明の実施形態による読上げデータ保管部に記憶される文字列データを示す図である。
【図７】本発明の実施形態による表示部に表示される操作ガイド欄のガイダンス音声の出力の一例を示す図である。
【図８】デジタル放送受信機の標準規格「ＡＲＩＢ−ＳＴＤ  Ｂ２４  デジタル放送におけるデータ放送符号化方式と伝送方式」に記載のＰＣＭ符号化パラメータの制約条件を示す図である。
【発明を実施するための形態】
【００１２】
本発明の実施形態について、図面に基づいて以下に説明する。
【００１３】
まず、本実施形態によるデジタル放送受信機におけるガイダンス音声について説明する。
【００１４】
ガイダンス音声を実現するためには、放送番組の音声再生出力とは独立して、画面に表示されている文字列を音声に変換する機能をデジタル放送受信機に搭載する必要がある。文字列を音声に変換する技術は、デジタル放送受信機の標準規格である「ＡＲＩＢ−ＳＴＤ  Ｂ２４  デジタル放送におけるデータ放送符号化方式と伝送方式」に記載のＰＣＭ（Ｐｕｌｓｅ  Ｃｏｄｅ  Ｍｏｄｕｌａｔｉｏｎ）を用いた音声符号化ファイルフォーマットのＡＩＦＦ（Ａｕｄｉｏ  Ｉｎｔｅｒｃｈａｎｇｅ  Ｆｉｌｅ  Ｆｏｒｍａｔ）を使用することによって実現することができる（図８参照）。ＡＩＦＦ形式で格納されたＰＣＭデータから、読上げを希望する文字に該当するＰＣＭデータを図８にて規定されるサンプリング周波数で取り出す（変換する）と、音声として再生することができる。
【００１５】
次に、本実施形態によるデジタル放送受信機の構成について説明する。
【００１６】
図１は、本発明の実施形態によるデジタル放送受信機の構成の一例を示すブロック図である。図１に示すように、本実施形態によるデジタル放送受信機は、衛星デジタル放送、地上波デジタル放送、またはケーブルテレビ放送などの放送波を受信するための選局回路であるチューナー１と、チューナー１にて受信された放送波に含まれる変調されたデータを、放送波で送る前のデータに戻す（復調する）ための復調回路である復調部２と、復調部２にて復調されたデータであって、放送波で送る前に多重化された、符号化された映像データと符号化された音声データとを分離する回路である多重分離部３と、多重分離部３にて分離された符号化された映像データを復号する回路である映像復号部４と、多重分離部３にて分離された符号化された音声データを復号する回路である音声復号部５と、映像復号部４にて復号された映像データである映像、文字、グラフィックスなどを表示する、例えば液晶モニターやプラズマモニターに代表される表示デバイスである表示部１２と、音声復号部５にて復号された音声データを出力する、例えばスピーカーに代表される音声出力装置である音声出力部１３とを備える。
【００１７】
また、本実施形態によるデジタル放送受信機は、ユーザーがデジタル放送受信機を操作するために使用するリモコン（図示せず）から発信された信号（リモコン信号）を受信する受信回路であるリモコン受光部６（リモコン信号受信部）と、リモコン受光部６にて受信したリモコン信号を解析する回路であるリモコン信号解析部７と、リモコン信号解析部７による解析結果に基づき、チューナー部１に対してチャンネル切り換えの指示や、音声生成部９に対してガイダンス音声信号の生成の指示や、文字・グラフィックス描画部１１に対して文字やグラフィックスを表示部１２に描画させるための描画データの生成の指示を行う制御回路である制御部８と、制御部８による指示に基づき、表示部１２に文字やグラフィックスを描画させるためのデータ（描画データ）を生成する回路である文字・グラフィックス描画部１１（描画データ生成部）と、ユーザーに対してリモコンの操作を誘導するガイダンス音声を生成するために用いられる文字列データを保管する不揮発性メモリなどの記憶媒体である読上げデータ保管部１０と、制御部８による指示に基づき、読上げデータ保管部１０からガイダンス音声として出力する対象となる文字列データを読み出して音声データ（ガイダンス音声の信号）に変換する（音声データを生成する）回路である音声生成部９とを備える。
【００１８】
次に、本実施形態によるデジタル放送受信機の動作について説明する。
【００１９】
チューナー１は、視聴対象の番組が放送されている放送波の周波数で受信する。受信された放送波は、復調部２において、放送事業者が放送波で送信するために変調したデータを放送波で送信する前のデータに戻し（復調し）、放送波を送信する伝送路上で発生したデータの誤りを修復する。復調部２にて復調・修復されたデータは、多重分離部３にて映像データと音声データとに分離される。このとき、映像データおよび音声データは、それぞれ符号化されている。多重分離部３にて分離された符号化されている映像データは、映像復号部４にて復号され、人が認識できる映像として生成される。また、多重分離部３にて分離された符号化されている音声データは、音声復号部５にて復号され、人が認識できる音声として生成される。生成された映像・音声は、それぞれ表示部１２と音声出力部１３とから出力され、ユーザーが番組を視聴することが可能となる。
【００２０】
視聴中の番組を変える（他の番組に切り換える）場合、ユーザーはリモコンを操作してチャンネルの切り換えを行う。リモコン受光部６は、リモコンから発信されたリモコン信号を受信してリモコン信号解析部７に出力する。リモコン信号解析部７は、入力されたリモコン信号の解析を行い、解析結果を制御部８に出力する。制御部８は、リモコン信号解析部７による解析結果に基づいて、リモコン信号が選局操作に関する信号であればチャンネル切り換えの対象となる番組の放送波を受信するよう指示する。チューナー１は、制御部８の指示に従って受信する放送波の周波数を切り換え（チャンネルを切り換え）、チャンネル切り換えの対象となる番組の放送波を受信する。チャンネル切り換え後に受信した番組の映像・音声は、それぞれ表示部１２と音声出力部１３とから出力（再生）される。
【００２１】
図２は、本実施形態による制御部８の動作を示すフローチャートである。また、図３は、本実施形態による表示部１２に表示される番組表の一例を示す図であり、図４は、表示部１２に表示される操作ガイド欄の一例を示す図である。
【００２２】
図３，４に示すように、番組表は、チャンネル情報軸（図中の横方向）と時間軸（図中の縦方向）との２次元マトリックスからなるテレビラジオ欄が一般的によく知られている。本実施形態では、図４の破線で囲まれた部分を、リモコンのボタン操作の説明を行う操作ガイド欄としている。操作ガイド欄には、リモコンに配置されるボタン（例えば、図４に示される矢印ボタン、戻るボタン、青ボタン、赤ボタン、黄ボタン）に対応するアイコン（リモコンのボタンのイメージ図）と、各アイコンに対応する説明とが表示される。なお、図４に示される破線は、実際には表示部１２に表示されないものとする。
【００２３】
図２に示すように、制御部８は、リモコン信号解析部７にて解析されたリモコン信号の解析結果を確認し（ステップＳ２０１）、リモコン信号が選局操作に関する信号であるか否かの判定を行う（ステップＳ２０２）。ステップＳ２０２において、選局操作に関する信号ではない（選局以外の操作に関する信号である）と判定されると、表示部１２に表示される画面がガイダンス音声の対象となる文字列を含む画面（例えば、図３，４に示される操作ガイド欄を含む画面）か否かを判定する（ステップＳ２０３）。ステップＳ２０３において、ガイダンス音声の対象となる文字列を含む画面でないと判定されると、表示部１２に表示させる画面を決定し（ステップＳ２０５）、文字・グラフィックス描画部１１に対して文字やグラフィックスの描画データを生成するよう指示し、生成された描画データを表示部１２に表示させる（ステップＳ２０６）。
【００２４】
一方、ステップＳ２０２において、選局操作に関する信号であると判定されると、チューナー１に対して選局（チャンネルの切り換え）を指示する。
【００２５】
ステップＳ２０３において、ガイダンス音声の対象となる文字列を含む画面であると判定されると、次に、操作ガイド欄に表示されているアイコン（図４参照）に対応するリモコンのボタンが操作（押下）されたか否かを判定する（ステップＳ２０４）。ステップＳ２０４において、操作ガイド欄に表示されているアイコンに対応するリモコンのボタンが操作されていないと判定されると、表示部１２に表示させる画面を決定し（ステップＳ２０５）、文字・グラフィックス描画部１１に対して文字やグラフィックスの描画データを生成するよう指示し、生成された描画データ（例えば、図３，４に示される操作ガイド欄を含む番組表）を表示部１２に表示させる（ステップＳ２０６）。
【００２６】
ステップＳ２０６の後、表示部１２に画面が表示されてからガイダンス音声が出力されるまでのタイマー（予め定められた所定時間）を設定（計時開始）する（ステップＳ２０７）。その後、設定したタイマーが経過するまでの間に、新たにリモコン信号が受信されたか否かを判定し（ステップＳ２０８，ステップＳ２０９）、設定したタイマーが経過するまでの間にリモコン信号の受信がなければ、ガイダンス音声を出力する文字列を決定し（ステップＳ２１３）、音声生成部９に対してガイダンス音声の信号を生成して音声出力部１３からガイダンス音声が出力されるよう指示する（ステップＳ２１４）。なお、ステップＳ２０３において、ガイダンス音声の対象となる文字列を含む画面でないと判定された場合は、設定したタイマーが経過してもガイダンス音声は出力されない。
【００２７】
また、ステップＳ２０４において、操作ガイド欄に表示されているアイコンに対応するリモコンのボタンが操作されたと判定されると、ステップＳ２０７にて設定したタイマーを解除し（ステップＳ２１１）、操作されたリモコンのボタンに対応する処理（図４の操作ガイド欄に表示されているアイコンに対応する処理）を行う（ステップＳ２１２）。
【００２８】
上記の動作処理を行うことによって、ガイダンス音声の対象となる画面を表示した後、設定したタイマーの時間が経過した後にガイダンス音声が出力される。すなわち、リモコンの操作を誘導する動作において、文字・グラフィックス描画部１１にて生成された文字やグラフィックス（描画データ）が表示部１２に表示されてから、予め設定した所定時間が経過した後に、音声生成部９にて生成された信号に基づくガイダンス音声の出力が行われる。また、ガイダンス音声が出力される前に操作ガイド欄（図４参照）に表示されるアイコンに対応するリモコンのボタンが操作されると、ユーザーはガイダンスが不要であると判断してガイダンス音声を出力せず、操作されたリモコンのボタンに対応する処理が行われる。
【００２９】
なお、図２では、ガイダンス音声が出力される前に操作ガイド欄に表示されるリモコンのボタンが操作されるとガイダンス音声を出力しないようにしているが、ガイダンス音声の出力中にユーザーが操作ガイド欄に表示される（ガイダンス音声に対応する）リモコンのボタンが操作されるとガイダンス音声を終了するようにしてもよい。
【００３０】
また、図２のステップＳ２０７におけるタイマーの設定値は、ソフトウェアの処理によって固定値としてもよく、あるいは、予め不揮発性の記憶媒体に所望のタイマーの設定値を記憶させて使用することによって、例えば、メニュー画面での操作でユーザーがタイマーの設定値を任意に変更できるようにしてもよい。すなわち、タイマーの設定値は、任意に可変設定可能としてもよい。
【００３１】
また、図２のステップＳ２０８のタイマーの経過後にガイダンス音声を出力するが、次にリモコン受光部６がリモコン信号を受信するまでガイダンス音声を繰り返して出力するようにしてもよい。
【００３２】
図５は、本実施形態による表示部１２に表示される操作メニューの一例を示す図である。図５に示すように、カーソルが指示する箇所（図中の網掛けなし部分）と、カーソルが指示していない箇所（図中の網掛けあり部分）とをユーザーが認識できるように、文字・グラフィックス描画部１１にて描画データを生成する。本実施形態では、操作メニューを階層構造とすることによって、ユーザーが設定可能な項目を視覚的に分かりやすく表示している。
【００３３】
図６は、本実施形態による読上げデータ保管部１０に記憶される文字列データを示す図である。図６に示すように、読上げデータ保管部１０には、表示部１２に表示される文字列のうち、予め決められた部分の文字列データと、任意の部分の文字列データとに分けて記憶されている。
【００３４】
例えば、操作メニューや操作ガイド欄（図５参照）など予め表示内容が決まっている文字列（情報）については、文字列単位で読上げデータ保管部１０に記憶されている。また、本実施形態では、操作ガイド欄に表示されているアイコンに対して読上げ用の文字列を割り当てることによって、自然なガイダンス音声の出力が可能となる。
【００３５】
一方、番組表に記載の内容など一意に決まっていない文字列については、音声生成部９にて文節単位に区切って適切な読み方を解析して読上げ用の文字データを作成し、読上げデータ保管部１０に記憶される。
【００３６】
図７は、本実施形態による表示部１２に表示される操作ガイド欄のガイダンス音声の出力の一例を示す図である。図７に示すような番組表を表示部１２に表示させた後、予め設定した所定時間の経過後（図２のステップＳ２０７にて設定したタイマーの経過後）、例えば「やじるしぼたんでせんたく  けっていぼたんでせつめい  もどるぼたんでしゅうりょう  あおぼたんでぜんじつ  あかぼたんでよくじつ  きぼたんでよみあげをします」といったガイダンス音声を音声出力部から出力する。なお、上記ガイダンス音声において、文字列間の空欄は、一拍おくことを示している。
【００３７】
以上のことから、リモコンの操作を誘導する動作において、ガイダンス音声の出力の対象となる画面を表示部に表示してから、予め設定した所定時間が経過後にガイダンス音声を出力するようにしているため、ユーザーが操作方法を検討している状態でガイダンスを聞くことができるといった、音声による誘導の効果が向上するガイダンス音声を行うことができ、ユーザー利便性を高めることが可能となる。
【００３８】
なお、本実施形態では、表示部１２に表示される操作ガイド欄のガイダンス音声の出力について説明したが、読上げデータ保管部１０には、操作メニューや番組表に記載の内容などの文字列データも記憶されていることから（図６参照）、例えば、リモコンの操作によって指示された操作メニューや番組表の所定部分を読上げるようにしてもよい。
【産業上の利用可能性】
【００３９】
本発明の活用例として、デジタル放送受信機に適用できる。
【符号の説明】
【００４０】
１  チューナー、２  復調部、３  多重分離部、４  映像復号部、５  音声復号部、６  リモコン受光部、７  リモコン信号解析部、８  制御部、９  音声生成部、１０  読上げデータ保管部、１１  文字・グラフィックス描画部、１２  表示部、１３  音声出力部。
【図１】
2012151637.tif 000003
【図２】
2012151637.tif 000004
【図３】
2012151637.tif 000005
【図４】
2012151637.tif 000006
【図５】
2012151637.tif 000007
【図６】
2012151637.tif 000008
【図７】
2012151637.tif 000009
【図８】
2012151637.tif 000010